(57)【特許請求の範囲】
【請求項１】
支持体上に輝尽性蛍光体層を設けた蛍光体プレートをトレーに貼着して得られた放射線像変換パネルにおいて、ＩＣメモリーユニットを有し、かつ放射線像変換パネルに貼着されたＩＤラベルを有し、該ＩＣメモリーユニットがトレーに埋め込まれていることを特徴とする放射線像変換パネル。
【請求項２】
ＩＣメモリーユニットが放射線像変換パネルに貼着されたＩＤラベルに設けられていることを特徴とする請求項１記載の放射線像変換パネル。
【請求項３】
ＩＣメモリーユニットが無接触型であることを特徴とする請求項１又は２記載の放射線像変換パネル。
【請求項４】
請求項１〜３の何れか１項記載の放射線像変換パネルを用いて、放射線像情報を輝尽性蛍光体層に記録すると共に、ＩＣメモリーユニットに使用履歴情報を記録することを特徴とする放射線像撮影装置。
【発明の詳細な説明】
【０００１】
【発明の属する技術分野】
本発明は放射線像変換パネルに関するものであり、特にＩＣメモリーユニットを有し、種々の管理を可能とした放射線像変換パネル及び放射線像撮影装置に関する。
【０００２】
【従来の技術】
従来の放射線写真法に代わる有効な診断手段として、特開昭５５−１２１４５号などに記載の輝尽性蛍光体を用いる放射線像記録再生方法が広く用いられるようになってきている。
【０００３】
この方法は、輝尽性蛍光体を含有する放射線像変換パネルを利用するもので、被写体を透過した、あるいは被検体から発せられた放射線を輝尽性蛍光体に吸収させ、可視光線、紫外線などの電磁波（励起光という。）で時系列的に輝尽性蛍光体を励起して、蓄積されている放射線エネルギーを蛍光（輝尽発光光という。）として放射させ、この蛍光を光電的に読みとって電気信号を得、得られた電気信号に基づいて被写体あるいは被検体の放射線像を可視画像としてＣＲＴやフィルム上に再生するものである。読み取り後の放射線像変換パネルは、残存画像の消去が行われ、次の撮影に供せられる。
【０００４】
従来の放射線写真フィルムと増感紙とを組み合わせた放射線写真法では撮影毎にフィルムを消費するのに対して、輝尽性蛍光体を用いることにより、放射線像変換パネルは繰り返し使用できるので、資源保護や経済効率の面から有利である。また画像情報データを処理することにより、目的とする部位の画像を観察医が見易いように画像変換することが可能で、診断精度を向上することができ、また感度が高いことから放射線の被曝線量を低減することもできる。
【０００５】
しかしながら、このように優れた放射線像変換パネルも繰り返し使用に伴い、例えば、感度が低下したり、消去性が劣化したり、取扱い時の擦れによる表面保護層の劣化等、を生じることから、撮影の信頼性を高めるために、有効期限として開封して使用開始から２年が設定されている。
【０００６】
またその劣化は、単に経時期間だけではなく、その期間に使用された回数や、被爆した放射線の強度や時間、等々によりその劣化状態も変化するものである。
【０００７】
通常、放射線像変換パネルには、製造メーカの品種名、製造年月日、製造ロット番号等を示すＩＤラベルが貼付されている。
【０００８】
放射線像変換パネルを購入した医療機関においては、通常、台帳による管理が行われ、放射線像変換パネル毎にその医療機関独特の記号、番号等が付与され管理されており、台帳にコメント程度の履歴管理が行われる位で、有効期限が満了した時点で、廃棄処分となるものであった。
【０００９】
即ち、放射線像変換パネルにおいては、使用履歴の管理は殆ど行われていないのが実状であり、取扱いが悪く、性能が劣化しているにも拘わらず使用されていたり、或いは信頼性や安全性のために、可成り短い有効期限が設定され、十分に性能が保持されているにも拘わらず、期限切れとして無駄に廃棄されていたり、又医療施設によっては管理が不十分で有効期限が切れているにも拘わらず、知らずに診断に用いられてきたというような問題があった。
【００１０】
【発明が解決しようとする課題】
本発明は、上記状況を鑑みなされたもので、その目的は、有効期限や使用履歴を容易に管理し得る放射線像変換パネル及びそれを用いた放射線像撮影装置を提供することにある。
【００１１】
【課題を解決するための手段】
上記課題は、以下の本発明の構成により解決することができた。
【００１２】
（１）支持体上に輝尽性蛍光体層を設けた蛍光体プレートをトレーに貼着して得られた放射線像変換パネルにおいて、ＩＣメモリーユニットを有し、かつ放射線像変換パネルに貼着されたＩＤラベルを有し、該ＩＣメモリーユニットがトレーに埋め込まれていることを特徴とする放射線像変換パネル。
【００１４】
（２）ＩＣメモリーユニットが放射線像変換パネルに貼着されたＩＤラベルに設けられていることを特徴とする（１）記載の放射線像変換パネル。
【００１５】
（３）ＩＣメモリーユニットが無接触型であることを特徴とする（１）又は（２）記載の放射線像変換パネル。
【００１６】
（４）前記（１）〜（３）の何れか１項記載の放射線像変換パネルを用いて、放射線像情報を輝尽性蛍光体層に記録すると共に、ＩＣメモリーユニットに使用履歴情報を記録することを特徴とする放射線像撮影装置。
【００１７】
【発明の実施の形態】
以下、図を用いて、本発明のＩＣメモリーユニットを有する放射線像変換パネル及びそれを用いた放射線像撮影装置について説明する。
【００１８】
図１は本発明のＩＣメモリーユニットを有する放射線像変換パネルの概略構成図である。図１（ａ）は平面構成図であり、（ｂ）は背面構成図である。放射線像変換パネル１０は、トレー７上に蛍光体プレート６が貼着されており、トレー背面上にはＩＤラベル８が貼着されている。図１（ｃ）は図１（ｂ）のＡ−Ａ′線矢視断面構成図を示す。
【００１９】
支持体２上に輝尽性蛍光体層１を形成し、その上面に保護層３を設けた蛍光体シートを上側保護シート４及び下側保護シート５で被覆して蛍光体プレート６を形成し、該蛍光体プレート６を接着によりトレー７上に貼着して放射線像変換パネル１０が形成される。
【００２０】
トレー７の背面にはＩＤラベル８が貼着されており、この図の場合はその下にＩＣメモリーユニット９が埋め込まれている状態を示す。
【００２１】
図２はＩＤラベル８とＩＣメモリーユニット９の貼着の形態を示す図である。
図２はＩＤラベル８とＩＣメモリーユニット９が別々の位置に配設され、ＩＣメモリーユニット９はトレー７中に埋め込まれている状態を示す。これらの位置関係は、放射線像変換に支障にならない位置で有れば、何れの位置であっても良いが、本発明においては、ＩＣメモリーユニットにＩＤラベルが貼着され、ＩＣメモリー部分がトレー中に埋め込まれた図１に示す形態が最も好ましい。
【００２２】
本発明に用いられるＩＣメモリーユニットとは、「ＩＣカード」電子情報通信学会編（オーム社）、「パーソナルメディア時代のＩＣメモリーカードの役割」ＩＣカード出版協会１９９２年、「ＩＣメモリーカードガイドラインＶｅｒ．４．１」日本電子工業振興協会、「ますます面白くなる非接触ＩＣカード」ＴＲＩＧＧＥＲ  ９７／１１、「非接触ＩＣカード技術と材料」（有）アイ・エー・シー（井上学術情報センター）に記載されている様な、一般的なＩＣカードに適用されているメモリー部とマイクロプロセッサ部を有し、インターフェイス部分として、接触型の場合は金属端子で情報交換でき、非接触型の場合は金属端子の代わりにアンテナコイルを有しており、電波で情報交換できるようになっているものを言う。本発明に使用するＩＣメモリーユニットとしては、所定の電磁波信号により一定距離の離れた所からも読み書きすることが可能な非接触型を使用するのが好ましい。
【００２３】
図３は本発明の放射線像変換パネルを用いた放射線像撮影装置の概略構成図である。
【００２４】
被写体１０２が放射線像変換パネル１０と放射線源１０１との間に配された後、放射線源１０１が点灯されると、放射線像変換パネル１０の輝尽性蛍光体層に被写体１０２の透過放射線像が記録蓄積される。その後、放射線像変換パネル１０をレーザ等の輝尽励起光源１０５によりミラー１０６を通して走査し、輝尽性蛍光体が発する輝尽発光を光伝達手段１０８を介して光検出器１０７により検出する。この際、搬送ステージ１０９は、例えば上方から下方に副走査しパネル１０全体の輝尽発光を検出する。この時系列化された輝尽発光の電気信号は増幅器１１１で増幅されてからＡ／Ｄ変換器１１２を通り記憶手段１１３へ送られる。また、変換パネル１０の蛍光体側表面に対向する位置には消去用光源１１０が設けられ、輝尽発光を検出後、蛍光体に蓄積している潜像を消去する。
【００２５】
また、上記消去用光源１１０は輝尽性蛍光体に該蛍光体の励起波長領域を含む光を発する光源であり、例えば特開昭５６−１１３９２号に示されているようなハロゲンランプ、タングステンランプ、赤外線ランプ、ＬＥＤ或いはレーザ光源等が任意に選択使用され得る。
【００２６】
また、本発明の放射線像変換パネル１０においては、ＩＣメモリーユニット９を有し、ＩＣメモリーユニットが保持するデータを発信アンテナより発信し、送受信機１４１によりデータが受信され、画像表示装置１４２にデータが表示される。そして撮影が終了すると、今回の撮影によるデータが自動的に入力され、送受信機１４１を介してＩＣメモリーユニットにデータが追加される。また、入録装置１４３により、必要とするデータを人為的に入力を行っても良い。
【００２７】
本発明の放射線像撮影装置１５０は、放射線像を撮影、読み出し、消去等を行う放射線像撮影部分１３１と画像処理部分１３２及びデータ送受信部分１３３から構成されているが、必ずしも一体となった構造のものでなくてもよい。
【００２８】
本発明に用いられるＩＣメモリーユニットのメモリー部は、メーカ製造情報記録メモリー部と医療施設が使用した使用履歴を書き込む使用履歴情報記録メモリー部に分けて使用されていることが好ましい。メーカ製造情報記録メモリー部には、製造品種名、製造年月日、有効期限、製造ロット等の製造情報が記録されており、書き換えがプロテクトされた情報である。
【００２９】
一方、使用履歴情報としては、例えば購入年月日、使用開始日、使用日時、使用場所、使用機械、撮影部位、撮影条件、放射線強度、照射時間、などの情報を使用時に書き込むことが可能となっている。撮影終了後には、撮影済みであることを示すデータを書き込むことができ、次に励起光を照射して読み出しが行われると、読み出し済みであることを示すデータが記録され、消去が行われると消去済みであることを示すデータが記録され、次の撮影が可能という情報が書き込まれる。これらの情報は放射線像撮影装置本体からの信号により書き込まれるように設定することができ、これらの情報を非接触型で読み出し書き込みすることが可能である。
【００３０】
又、有効期限が近づくと、使用時に警報を発したり、有効期限後は利用できないようにする等の機能を付与することも可能である。
【００３１】
従来は、放射線像変換パネルを用いて放射線像撮影装置を使用する場合、放射線技師は、どのパネルを用い、どのような撮影条件で使用したかを、パソコン等に打ち込み台帳管理していたものを、放射線像変換パネル側にＩＣメモリーユニットを取り付けることにより、使用パネルや撮影条件を放射線像撮影装置本体から自動的に入出力することが可能となり、確認ミスや入力ミスといった人為的ミスを殆ど排除することが可能なシステムとすることができる。
【００３２】
【発明の効果】
ＩＣメモリーユニットを有する放射線像変換パネルを利用することによって、医療機関での放射線像撮影装置本体と放射線像変換パネルとの連携を自動的に行うことが可能となり、入力ミスや有効期限管理等の人為的ミスを大きく減少させることができた。
【図面の簡単な説明】
【図１】本発明のＩＣメモリーユニットを有する放射線像変換パネルの概略構成図である。
【図２】ＩＤラベルとＩＣメモリーユニットの貼着の形態を示す図である。
【図３】本発明の放射線像変換パネルを用いた放射線像撮影装置の概略構成図である。
【符号の説明】
１  輝尽性蛍光体層
２  支持体
３  保護層
４  上側保護シート
５  下側保護シート
６  蛍光体プレート
７  トレー
８  ＩＤラベル
９  ＩＣメモリーユニット
１０  放射線像変換パネル
１３１  放射線像撮影部分
１３２  画像処理部分
１３３  データ送受信部分
１５０  放射線像撮影装置
【図１】
0004259032.tif 000002
【図２】
0004259032.tif 000003
【図３】
0004259032.tif 000004